(57)【要約】【課題】電熱ロッドから発生する熱が頭皮へ過多に伝導されることを防止することのできるパーマネント用断熱材であって、取り扱いが容易なものを提供することを課題とする。【解決手段】頭髪Ｈを巻き付けた電熱ロッド１に対して用いるものであり、柔軟性及び断熱性を有するロッド巻回部２１と、ロッド巻回部２１に対して連続する位置に間隔保持部２３を備えるものであり、電熱ロッド１を頭髪Ｈに巻きつけた際に、この間隔保持部２３を被施術者Ｐの頭皮Ｓに当接させることにより、電熱ロッド１を頭皮Ｓから離して保持できるパーマネント用断熱材２を提供する。これにより、電熱ロッド１から発生する熱が頭皮Ｓへ過多に伝導されることを防止することができる。【選択図】          図４
2004358118.tif 000002
【特許請求の範囲】
【請求項１】
電源接続時に加熱する電熱ロッド（１）を被施術者（Ｐ）の頭髪（Ｈ）に巻き付けることにより行なうパーマネントウェーブ処理に用いるパーマネント用断熱材（２）において、
柔軟性及び断熱性を有する素材からなるロッド巻回部（２１）とクリップ着脱部（２２）とを備え、
ロッド巻回部（２１）は、頭髪（Ｈ）を巻いた状態の電熱ロッド（１）の外周面（１１）の少なくとも一部を覆うように取り付られる部分であり、
クリップ着脱部（２２）は、電熱ロッド（１）の外周面（１１）に対して取り付け可能であるクリップ（３）における挟持部（３１）の少なくとも一部に対して着脱可能な部分であることを特徴とする、パーマネント用断熱材。
【請求項２】
クリップ着脱部（２２）は、ロッド巻回部（２１）の少なくとも一方側の連続する位置に設けられたものであり、かつ、クリップ（３）の挟持部（３１）の先端（３１ａ）が配位される部分であることを特徴とする、請求項１に記載のパーマネント用断熱材。
【請求項３】
ロッド巻回部（２１）に対して連続する位置に間隔保持部（２３）を備えるものであり、
電熱ロッド（１）を頭髪（Ｈ）に巻きつけた際に、この間隔保持部（２３）を被施術者（Ｐ）の頭皮（Ｓ）に当接させることにより、電熱ロッド（１）を頭皮（Ｓ）から離して保持できることを特徴とする、請求項１または２に記載のパーマネント用断熱材。
【請求項４】
ロッド巻回部（２１）の一部において、表面側あるいは裏面側の少なくとも一方側に突出したスペーサ部（２４）を設け、このスペーサ部（２４）が備えられた部分のロッド巻回部（２１）にクリップ（３）の挟持部（３１）を取り付けることにより、ロッド巻回部（２１）に対する、クリップ（３）の挟持部（３１）の内面（３１ｂ）の全面が密着することを緩和することを特徴とする、請求項１から３のいずれかに記載のパーマネント用断熱材。
【請求項５】
電熱ロッド（１）と断熱材（２）とクリップ（３）とが組み合わされたものであって、
電熱ロッド（１）は円筒状のもので、内部に、電源接続時に熱が発生する発熱部材を備え、外周面（１１）に被施術者（Ｐ）の頭髪（Ｈ）を巻き付け可能なものであり、
断熱材（２）は、頭髪（Ｈ）を巻き付けた状態にある電熱ロッド（１）の、外周面（１１）の少なくとも一部を覆うようにして取り付けられるもので、柔軟性及び断熱性を有する素材からなるマット状のものであり、
クリップ（３）は、電熱ロッド（１）に取り付け可能なものであって、その少なくとも一部が断熱材（２）に対して着脱可能となっており、
クリップ（３）を電熱ロッド（１）から取り外した際においても、クリップ（３）に断熱材（２）が付着した状態を維持するものであり、
断熱材（２）が付着した状態のクリップ（３）の挟持部（３１）を、電熱ロッド（１）の外周面（１１）を挟むようにして取り付けることにより、電熱ロッド（１）の外周面（１１）と、クリップ（３）の挟持部（３１）の内面（３１ｂ）との間に断熱材（２）が配位されたものであることを特徴とする、頭髪に対する電熱ロッドの取付構造。
【請求項６】
内部に、電源接続時に熱が発生する発熱部材を備えた、円筒状の電熱ロッド（１）と、
柔軟性及び断熱性を有する素材からなるマット状の断熱材（２）と、
電熱ロッド（１）の外周面（１１）に取り付け可能なクリップ（３）とを用いるものであり、
電熱ロッド（１）の外周面（１１）に、被施術者（Ｐ）の頭髪（Ｈ）を巻き付け、
断熱材（２）には、ロッド（１）の外周面（１１）の少なくとも一部を覆うように取り付られる部分であるロッド巻回部（２１）と、ロッド巻回部（２１）に対して連続する部分である間隔保持部（２３）とを備えるものであり、
断熱材（２）のロッド巻回部（２１）をクリップ（３）に対して、クリップ（３）の挟持部（３１）の内面（３１ｂ）に沿うように、少なくとも一部が脱落しないようにして取り付け、
頭髪（Ｈ）を巻きつけた状態の電熱ロッド（１）の外周面（１１）に対し、ロッド巻回部（２１）をクリップ（３）と共に取り付けると共に、電熱ロッド（１）と被施術者（Ｐ）の頭皮（Ｓ）との間に間隔保持部（２３）を配位することにより、電熱ロッド（１）を頭皮（Ｓ）から間隔を持って配位可能であることを特徴とする、頭髪に対する電熱ロッドの取付方法。
【発明の詳細な説明】
【０００１】
【発明の属する技術分野】
本願発明は、パーマネント用断熱材並びに頭髪に対する電熱ロッドの取付構造及び取付方法に関するものである。より詳しくは、美容室などにおけるパーマの施術時に、電熱ロッドから発生する熱が頭皮に対して過多に伝達されることを防止するためのパーマネント用断熱材並びに頭髪に対する電熱ロッドの取付構造及び取付方法に関するものである。
【０００２】
【従来の技術】
【特許文献１】
特開平１０−１６５２２１号公報
【０００３】
一般的にヘアースタイルは、人の印象を左右する大変重要な要素中の一つであり、特に女性の場合は、ヘアースタイルを装ったり変更したりする為には、多くの時間と苦労を要する。
このようなヘアースタイルは、顔の形態などによって、これに合う形態に変更をして、自身の姿を演出することができるようにしているが、このようなヘアースタイルの変更を行なう代表的な例は、頭髪をカットして長さを調整したり、又は、ウェーブを形成する方法が最も多く利用されており、近日は頭髪を染色したり脱色する方法が多く用いられている。
【０００４】
ヘアースタイルを変更することの中で、パーマ、即ち、パーマネントウェーブ処理は、何種類かに分類することができるが、大きく分類するなら下記のようになる。第１は、被施術者Ｐの頭髪にパーマ液（１剤）を塗布した状態でパーマロッド（以下、ロッドという）に頭髪を巻き付けた後、適当時間経過後に中和剤（２剤）を塗布してウェーブを形成する方法である。この方法の場合には、ロッド自体は発熱しない中空等のロッドに頭髪を巻き付けた自然放置や、促進機等の外部加熱装置によって熱を加えて、パーマ液の反応を促進すると共に頭髪の乾燥を行うものである。これに適するロッドとしては、特許文献１に示すものなどが知られている。
第２は、頭髪に水分がある状態で電熱ロッドで巻き付けた後、熱を発生させて水分を蒸発させ、ウェーブを形成するというものである。この第２の方法は、電源接続時に熱が発生可能な発熱部材を内部に備えた電熱ロッドに頭髪を巻き付け、ロッド自体が発熱する点に特徴がある。
【０００５】
図５には、従来のパーマ方式中、第２の場合において、パーマを実施する場合が図示されている。図示されたように、まず、少量の頭髪Ｈを整然と整えた後、この頭髪Ｈに適当量のカーリング剤を塗布する。次に、ロットペーパー（図示されていない）等をあてがい、このロットペーパーとともに頭髪Ｈを円筒形の物品である電熱ロッド１０１の外周面１１１に必要な長さだけ巻き付けた後、電熱ロッド１０１の両端部分にある切欠部１１２に輪ゴムを引掛け、頭髪Ｈを電熱ロッド１０１に固定する。
この状態から、電熱ロッド１０１に電源を連結させることにより、内部の発熱装置によって熱を発生させ、頭髪Ｈを乾燥させる。そして、所定時間経過後には、電熱ロッド２の外形の屈曲に応じたウェーブが頭髪Ｈに形成される。
【０００６】
上記に示した第１、第２のパーマ方式は一長一短があるが、第１の方法（加温式）では、加熱のための熱源が頭部より離れた位置にあるのに対して、第２の方法では、頭部の直近のロッドが発熱すると言った基本的な相違がある。そのため、第１の方法では、特許文献１に示されるように、発泡ウレタン等の柔軟な多孔質製の頭髪巻き取りシートを備えたロッドが提案されているものの、この巻き取りシートは、従来より用いられているロットペーパーの代用として開発されているに止まる。即ち、第１の方法では、促進機による加熱即ち、外部からの加熱が頭皮に与える悪影響を考慮する必要は少なく、事実、この特許文献１におけるロッドにあっても、加熱による悪影響を配慮したものではない。
他方、第２のパーマ方式の場合には、頭部の直近に配位される電熱ロッドが熱源となるため、電熱ロッドから発生する熱が頭皮に直接伝導されることにより過多な熱が伝達される場合、頭皮に火傷などの損傷を与えることもあるという問題点があった。
【０００７】
上記の第２のパーマ方式における問題点に対し、従来、美容室などでは、頭髪を巻いた状態の電熱ロッドに、断熱性を有するマット状などの形態の断熱材を取り付けて、断熱材越しに電熱ロッドをクリップで留めることにより、電熱ロッドと頭皮との間に断熱材を介在させて、頭皮に過多な熱が伝達されることを防止していた。
しかし、この方法にあっては、電熱ロッドとクリップとの間に断熱材が挟み込まれるという取付構造となるため、電熱ロッドからクリップを取り外した場合には断熱材を床などに落としてしまう場合も多く、取り扱いが煩わしいものであった。
【０００８】
【発明が解決しようとする課題】
本願発明は、上記従来の問題点を解決するために発明されたものであり、電熱ロッドに頭髪を巻き付けて、電熱ロッドと頭皮との間に間隔を持たせることによって、電熱ロッドから発生する熱が頭皮へ過多に伝導されることを防止することのできるパーマネント用断熱材並びに頭髪に対する電熱ロッドの取付構造及び取付方法であって、取り扱いが容易なものを提供することを課題とする。
【０００９】
【課題を解決するための手段】
上記の課題を解決するために、本願の請求項１に記載の発明は、電源接続時に加熱する電熱ロッド１を被施術者Ｐの頭髪Ｈに巻き付けることにより、パーマネントウェーブ処理を行なうために用いるパーマネント用断熱材２において、柔軟性及び断熱性を有する素材からなるロッド巻回部２１とクリップ着脱部２２とを備え、ロッド巻回部２１は、頭髪Ｈを巻いた状態の電熱ロッド１の外周面１１の少なくとも一部を覆うように取り付られる部分であり、クリップ着脱部２２は、電熱ロッド１の外周面１１に対して取り付け可能であるクリップ３における挟持部３１の少なくとも一部に対して着脱可能な部分であることを特徴とする、パーマネント用断熱材を提供する。
【００１０】
また、本願の請求項２に記載の発明は、クリップ着脱部２２は、ロッド巻回部２１の少なくとも一方側の連続する位置に設けられたものであり、かつ、クリップ３の挟持部３１の先端３１ａが配位される部分であることを特徴とする、請求項１に記載のパーマネント用断熱材を提供する。
ここで、上記の「連続する位置」とは、クリップ着脱部２２がロッド巻回部２１に対して一体に形成されることなどによる隣接した位置関係と、上記両者間において、他の要素を介在させた位置関係とのどちらも含むものである。
【００１１】
また、本願の請求項３に記載の発明は、ロッド巻回部２１に対して連続する位置に間隔保持部２３を備えるものであり、電熱ロッド１を頭髪Ｈに巻きつけた際に、この間隔保持部２３を被施術者Ｐの頭皮Ｓに当接させることにより、電熱ロッド１を頭皮Ｓから離して保持できることを特徴とする、請求項１または２に記載のパーマネント用断熱材を提供する。
ここで、上記の「連続する位置」とは、間隔保持部２３がロッド巻回部２１に対して一体に形成されることなどによる隣接した位置関係と、上記の両者間において、他の要素を介在させた位置関係とのどちらも含むものである。
【００１２】
また、本願の請求項４に記載の発明は、ロッド巻回部２１の一部において、表面側あるいは裏面側の少なくとも一方側に突出したスペーサ部２４を設け、このスペーサ部２４が備えられた部分のロッド巻回部２１にクリップ３の挟持部３１を取り付けることにより、ロッド巻回部２１に対する、クリップ３の挟持部３１の内面３１ｂの全面が密着することを緩和することを特徴とする、請求項１から３のいずれかに記載のパーマネント用断熱材を提供する。
【００１３】
また、本願の請求項５に記載の発明は、電熱ロッド１と断熱材２とクリップ３とが組み合わされたものであって、電熱ロッド１は円筒状のもので、内部に、電源接続時に熱が発生する発熱部材を備え、外周面１１に被施術者Ｐの頭髪Ｈを巻き付け可能なものであり、断熱材２は、頭髪Ｈを巻き付けた状態にある電熱ロッド１の、外周面１１の少なくとも一部を覆うようにして取り付けられるもので、柔軟性及び断熱性を有する素材からなるマット状のものであり、クリップ３は、電熱ロッド１に取り付け可能なものであって、その少なくとも一部が断熱材２に対して着脱可能となっており、クリップ３を電熱ロッド１から取り外した際においても、クリップ３に断熱材２が付着した状態を維持するものであり、断熱材２が付着した状態のクリップ３の挟持部３１を、電熱ロッド１の外周面１１を挟むようにして取り付けることにより、電熱ロッド１の外周面１１と、クリップ３の挟持部３１の内面３１ｂとの間に断熱材２が配位されたものであることを特徴とする、頭髪に対する電熱ロッドの取付構造を提供する。
【００１４】
また、本願の請求項６に記載の発明は、内部に、電源接続時に熱が発生する発熱部材を備えた、円筒状の電熱ロッド１と、柔軟性及び断熱性を有する素材からなるマット状の断熱材２と、電熱ロッド１の外周面１１に取り付け可能なクリップ３とを用いるものであり、電熱ロッド１の外周面１１に、被施術者Ｐの頭髪Ｈを巻き付け、断熱材２には、ロッド１の外周面１１の少なくとも一部を覆うように取り付られる部分であるロッド巻回部２１と、ロッド巻回部２１に対して連続する部分である間隔保持部２３とを備えるものであり、断熱材２のロッド巻回部２１をクリップ３に対して、クリップ３の挟持部３１の内面３１ｂに沿うように、少なくとも一部が脱落しないようにして取り付け、頭髪Ｈを巻きつけた状態の電熱ロッド１の外周面１１に対し、ロッド巻回部２１をクリップ３と共に取り付けると共に、電熱ロッド１と被施術者Ｐの頭皮Ｓとの間に間隔保持部２３を配位することにより、電熱ロッド１を頭皮Ｓから間隔を持って配位可能であることを特徴とする、頭髪に対する電熱ロッドの取付方法を提供する。
【００１５】
本願の請求項１に記載の発明にあっては、断熱材２のクリップ着脱部２２が、クリップ３における挟持部３１の少なくとも一部に対して着脱可能な部分であることより、クリップ３と断熱材２とを一体とでき、電熱ロッド１からクリップ３を取り外した場合などにおいても、断熱材２を床などに落としてしまうことがなく、取り扱いが容易である。
【００１６】
また、本願の請求項２に記載の発明にあっては、クリップ着脱部２２が、クリップ３の挟持部３１の先端３１ａが配位される部分であることより、クリップ３と断熱材２とを容易に一体とできる。
【００１７】
また、本願の請求項３に記載の発明にあっては、電熱ロッド１を頭髪Ｈに巻きつける際に、この間隔保持部２３を被施術者Ｐの頭皮Ｓに当接させることにより、電熱ロッド１を頭皮Ｓから離して保持でき、電熱ロッド１から発生する熱が頭皮Ｓへ過多に伝導されることを防止することができる。
【００１８】
また、本願の請求項４に記載の発明にあっては、スペーサ部２４の形成により、ロッド巻回部２１に対する、クリップ３の挟持部３１の内面３１ｂの全面が密着することを緩和でき、ロッド巻回部２１を透過する電熱ロッド１の熱によるクリップ３の過熱を防止できる。
【００１９】
また、本願の請求項５に記載の発明にあっては、少なくとも一部が断熱材２に対して着脱可能なクリップ３を用い、頭髪Ｈを巻き付けた電熱ロッド１の外周面１１と、クリップ３の挟持部３１の内面３１ｂとの間に断熱材２を配位することにより、取り扱いが容易な、頭髪に対する電熱ロッドの取付構造を提供することができる。
【００２０】
また、本願の請求項６に記載の発明にあっては、電熱ロッド１と被施術者Ｐの頭皮Ｓとの間に間隔保持部２３を配位することにより、電熱ロッド１を頭皮Ｓから間隔を持って配位し、電熱ロッド１から発生する熱が頭皮Ｓへ過多に伝導されることを防止することができる。
【００２１】
【発明の実施の形態】
以下、図面に基づき本願発明の実施の形態を説明する。
図１は、本願発明の実施の形態の一例に係るパーマネント用断熱材の斜視図であり、図２は、本例におけるパーマネント用断熱材と電熱ロッドとクリップとを組みあわせた状態を示す斜視図であり、図３は本例におけるクリップの斜視図、図４は本例のパーマネント用断熱材を利用してパーマを施す状態を示す斜視図である。
【００２２】
まず、本願発明に係る断熱材２を取り付ける対象である電熱ロッド１について述べる。電熱ロッド１は円筒状のものであり、外周面１１に被施術者Ｐの頭髪Ｈを巻き付けることができる。また、電熱ロッド１の端面には、電源が供給することのできるソケット（図示しない）が設けられており、電熱ロッド１の内部には電源接続時に発熱する電気ヒータなどの発熱部材が設けられている。よって、パーマ時にソケットを通じて電源を接続させることにより熱を発生させることができ、この熱が電熱ロッド１の外周面１１に伝達され、外周面１１に巻き付けられた頭髪Ｈに作用してウェーブさせることができる。
また、電熱ロッド１の両端の枠部分１２には、切欠部１２ａが形成されており、この切欠部１２ａには、図４に示すように、頭髪Ｈを電熱ロッド１に巻いた状態で固定するためのリング状のゴム５が掛けられる。
【００２３】
次に、本例のパーマネント用断熱材２（以下、断熱材２と記す）は、図１に示すように、電熱ロッド１に巻き付けられるロッド巻回部２１と、ロッド巻回部２１の一端側に形成されたクリップ着脱部２２と、同他端側に形成された間隔保持部２３から構成されている。
このような構造を持つ断熱材２において、上記のロッド巻回部２１は、電熱ロッド１に対して円滑に巻き付けることのできる材質で構成された矩形のマット状のものである。望ましくは、繊維質又は紙質によって構成されることにより、電熱ロッド１の外周面１１に容易に巻き付けられる程度の適切な柔軟性を有するものとする。
【００２４】
上記に加え、このロッド巻回部２１は、電熱ロッド１から発生する熱を有効に遮断できる程度の断熱性を有する材質で構成される。詳しくは、ロッド巻回部２１の一方側の面を電熱ロッド１の外周面１１に当接させた際において、電熱ロッド１から発生する熱を反射させるか、あるいは吸収させることにより、ロッド巻回部２１の他方側の面まで極力伝達させない程度の断熱性を有するものであり、繊維質やスポンジ質のもの、また織地、編地、不織布のものが例示できる。また、一層構造、多層構造いずれの構造も採用し得る。
また、このロッド巻回部２１は、頭髪Ｈの水分を容易に蒸発させることができるように、水分吸収性若しくは水分透過性を有するものとすることがより望ましい。
このロッド巻回部２１の寸法は、電熱ロッド１及び後述するクリップ３の挟持部３１の寸法と一致するか、やや大きいものとする。特に、端部に間隔保持部２３の形成される長手方向の寸法については、図２に示すように、電熱ロッド１にロッド巻回部２１とクリップ３を取り付けた状態において、間隔保持部２３がクリップ３と重ならずに、クリップ３の外側に配位できる程度の寸法とすることが望ましい。また、本例においては、このロッド巻回部２１を矩形のものとしているが、その形状は適宜変更できる。
【００２５】
クリップ着脱部２２は、上記のロッド巻回部２１に付着されて一体化された部分である。本例においては、ロッド巻回部２１の一方側の端部を表面側あるいは裏面側に折り返して形成した部分であり、ロッド巻回部２１とクリップ着脱部２２とにより、挿入口２２ｂを有するポケット状の空間部２２ａが形成されている。この空間部２２ａには、クリップ３の挟持部３１の先端３１ａが差し込まれて配位され、これにより、断熱材２とクリップ３とが容易に脱落しないようになっている。
このクリップ着脱部２２によって形成される空間部２２ａは、図１（Ａ）に示すように、図示手前及び奥側の両側端が開放した形態であっても良いし、この両側端を閉鎖し、挿入口２２ｂのみを開放した形態であっても良い。また、図１（Ａ）に示される手前側の折り返し部分を開放し、図１（Ｂ）に示すようにクリップ着脱部２２をベルト状とし、そのベルト状のクリップ着脱部２２の両端部分２２ｃのみをロッド巻回部２１の側端に対して取り付けたものとしても良い。
また、本例においてはロッド巻回部２１の一方側の端部にのみクリップ着脱部２２を設けたものとしているが、他方側の端部にも設け、クリップ３の挟持部３１の両先端共にクリップ着脱部２２に取り付けるものとしても良い。
上記のクリップ着脱部２２を形成するための方法としては、返し縫いなどの縫製や、接着剤や熱溶着などによる接着等が可能であるが、具体的な方法は自由であり、適宜変更して実施することができる。また、このクリップ着脱部２２の材質については、ロッド巻回部２１と同一のものとしても良いし、異なる材質のものとしても良い。
【００２６】
また、本願発明におけるクリップ着脱部２２は、本例のように、ロッド巻回部２１の一方側の端部に形成したものに限られず、ベルクロ（Ｖｅｌｃｒｏ）の登録商標で知られている面状ファスナなどを用いることにより、ロッド巻回部２１の、クリップ３の挟持部３１の内面３１ｂに接する側の面をクリップ着脱部２２とし、このように形成したクリップ着脱部２２に対して、クリップ３の挟持部３１を取り付け可能としたものであっても良い。このように、本願発明におけるクリップ着脱部２２は、クリップ３の挟持部３１の少なくとも一部に対して着脱可能な部分であれば良く、その形態は種々に変更して実施が可能である。
【００２７】
ここで、本願発明において断熱材２と組み合わせて用いるクリップ３について述べる。本例におけるクリップ３は図３に示すようなものであり、挟持部３１と取手部３２とを有する。挟持部３１は、内面３１ｂが電熱ロッド１の外周面１１とほぼ一致する曲率を有するものであり、取手部３２は、挟持部３１の基端側に一体に形成されたものである。そして、挟持部３１と取手部３２とを有する第１片３ａと、第１片３ａとほぼ同一の形態を有する第２片３ｂとを一組とし、第１片３ａと第２片３ｂとの間がばねを介在させたヒンジ（図示しない）で連結されている。これにより、取手部３２をつまむことによって挟持部３１を広げ、電熱ロッド１の外周面１１にクリップ３を取り付けることができる。
なお、本例においては、挟持部３１の先端３１ａに切欠３１ｃが形成されて櫛状になっており、かつ、第１片３ａにおける切欠３１ｃと第２片３ｂにおける切欠３１ｃとが交互に形成されているため、電熱ロッド１に取り付けを行なわない際においては、第１片３ａと第２片３ｂの挟持部３１の各先端３１ａを、図３に示すように噛み合わせることができるため、コンパクトにできる。
そして本例においては、上記のように、第１片３ａあるいは第２片３ｂにおける挟持部３１の先端３１ａが、断熱材２のクリップ着脱部２２における空間部２２ａに配位されることにより、断熱材２が脱落しないようにクリップ３に取り付けられる。
【００２８】
断熱材２における間隔保持部２３も、上記のクリップ着脱部２２と同様、ロッド巻回部２１に付着されて一体化された部分である。本例においては、ロッド巻回部２１において、クリップ着脱部２２の設けられた側とは逆側の端部に、図１（Ａ）に示すように、ロッド巻回部２１と同一の素材を継ぎ足すように取り付け、中空の筒状に形成したものである。本例では、このようにして間隔保持部２３に形成された空間部２３ａに、図２に示すように、小径のロッド４を配位させて使用する。
この間隔保持部２３については、上記のクリップ着脱部２２と同様に、ロッド巻回部２１の端部を表面側あるいは裏面側に折り返し、中空の筒状に形成しても良い。また、空間部２３ａに間隔保持部２３の素材を巻き込むことにより、中実に形成しても良い。
上記の間隔保持部２３を形成するための方法としては、上記のクリップ着脱部２２と同様、返し縫いなどの縫製や、接着剤や熱溶着などによる接着等が可能であるが、具体的な方法は自由であり、適宜変更して実施することができる。また、この間隔保持部２３の材質については、ロッド巻回部２１と同一のものとしても良いし、異なる材質のものとしても良い。
【００２９】
この間隔保持部２３は、図４に示すように、頭髪Ｈを巻いた電熱ロッド１に断熱材２を取り付けた際において、電熱ロッド１と頭皮Ｓとの間に挟まれるように配位される。これにより、間隔保持部２３を設けない場合に比べて、電熱ロッド１を頭皮Ｓから離して保持できるため、過多の熱から頭皮Ｓを守りながら、円滑にパーマを施すことができる。
【００３０】
スペーサ部２４は、クリップ３の挟持部３１の内面３１ｂが当接する部分に対応させて、ロッド巻回部２１の表面側あるいは裏面側の一部に設けた突出した部分である。本例では、図２に示すように、クリップ３の挟持部３１の先端３１ａが当接する部分の表面に貼り付けられたパッド状のものである。本例においては、クリップ３の第１片３ａと第２片３ｂの両先端３１ａに共に当接する部分に設けたものであるが、第１片３ａか第２片３ｂの一方側のみに当接するように設けても良い。
このスペーサ部２４の形成により、クリップ３の挟持部３１の内面３１ｂが均等にロッド巻回部２１に密着するのではなく、スペーサ部２４において重点的に密着する。これにより、ロッド巻回部２１におけるスペーサ部２４以外の部分では、挟持部３１の内面３１ｂの全面が密着することを緩和でき、僅かであるが隙間を設けることができるため、ロッド巻回部２１を透過する電熱ロッド１の熱をこの隙間で放散できる。よって、クリップ３の挟持部３１の内面３１ｂが均等にロッド巻回部２１に密着した場合に比べ、ロッド巻回部２１を透過する電熱ロッド１の熱によるクリップ３の過熱を防止できる。
【００３１】
ここで、上記に説明した断熱材２を利用しパーマを施す方法を説明する。この方法は、電熱ロッド１に対して頭髪Ｈを巻き付ける工程と、頭髪Ｈが巻き付けられた電熱ロッド１の外周面に断熱材２を配位させる工程と、電熱ロッド１を発熱させる工程とを含むものである。
まず、被施術者Ｐの頭髪Ｈを一定量だけ整え、整えられたこの頭髪Ｈに所定量のパーマ液（１剤）を塗布する。そして、頭髪Ｈを電熱ロッド１に必要な分量巻き付け、電熱ロッド１の両側端部に位置する切欠部１２ａの両側へゴムバンド５を引掛け、頭髪Ｈを電熱ロッド１へ固定する。
【００３２】
ここで、断熱材２のクリップ着脱部２２によって形成された空間部２２ａには、クリップ３の挟持部３１の先端３１ａを配位させておき、あらかじめクリップ３と断熱材２とを一体としておく。また、断熱材２の間隔保持部２３における空間部２３ａには、小型のロッド４を挿入し、間隔保持部２３を膨らませておく。
そして、このように頭髪Ｈを巻き付けた状態の電熱ロッド１に、断熱材２のロッド巻回部２１を覆うようにして取り付ける。クリップ３と断熱材２とは既に一体となっているため、クリップ３の取手部３２をつまみ、挟持部３１の先端３１ａを広げて挟むようにすることにより、挟持部３１の内周面３１ｂと頭髪Ｈを巻いた電熱ロッド１の外周面１１との間にロッド巻回部２１を配位することができる。このようにして電熱ロッド１に断熱材２を取り付けた状態を図示したものが図４である。この際、間隔保持部２３はロッド巻回部２１に取り付けたクリップ３よりも外側に配位される。
ここで、図４に示すように、断熱材２のクリップ着脱部２２は、頭皮Ｓと電熱ロッド１との間に配位され、そして、間隔保持部２３は、電熱ロッド１の下方であって頭皮Ｓとの間に挟まれるように配位される。
【００３３】
その後、電熱ロッド１のソケットに電源を接続して通電することにより、電熱ロッド１から熱が発生する。この熱が電熱ロッド１に巻かれた頭髪Ｈに伝達されることにより、頭髪Ｈの水分を蒸発させると共に、頭髪Ｈにウェーブが形成される。
その後、電熱ロッド１からクリップ３と断熱材２を取り外し、電熱ロッド１に巻かれた状態にある毛髪Ｈに中和液（２剤）を塗布して、頭髪Ｈに形成されたウェーブを定着させる。
ここで、電熱ロッド１からクリップ３を取り外す場合にも、クリップ３と断熱材２とが一体となっているため、断熱材２を床などに落としてしまうことがなく、取り扱いやすい。
【００３４】
上記のように断熱材２の間隔保持部２３が、頭皮Ｓと電熱ロッド１との間に配位されているため、通電中の電熱ロッド１で発生する熱が頭皮Ｓに到達するまでに一部放散されることにより、頭皮Ｓに対して過多に熱が伝達されることを防止する。よって、上記のような断熱材２を使用することにより、過多の熱から頭皮Ｓを守りながら、円滑にパーマを施すことができる。
なお、本例においては、図４に示すように、クリップ着脱部２２も頭皮Ｓと電熱ロッド１との間に配位されるため、このクリップ着脱部２２においても副次的に、過多の熱から頭皮Ｓを守る効果をなす。
【００３５】
【発明の効果】
本願の請求項１に記載の発明は、断熱材のクリップ着脱部が、クリップにおける挟持部の少なくとも一部に対して着脱可能な部分であることより、クリップと断熱材とを一体とでき、電熱ロッドからクリップを取り外した場合などにおいても、断熱材を床などに落としてしまうことがなく、取り扱いが容易である。
【００３６】
また、本願の請求項２に記載の発明は、上記の効果に加え、クリップ着脱部が、クリップの挟持部の先端が配位される部分であることより、クリップと断熱材とを容易に一体とできる。
【００３７】
また、本願の請求項３に記載の発明は、上記請求項１または２に記載の発明の効果に加え、電熱ロッドを頭髪に巻きつける際に、この間隔保持部を被施術者の頭皮に当接させることにより、電熱ロッドを頭皮から離して保持でき、電熱ロッドから発生する熱が頭皮へ過多に伝導されることを防止することができる。
【００３８】
また、本願の請求項４に記載の発明は、上記請求項１から３のいずれかに記載の発明の効果に加え、スペーサ部の形成により、ロッド巻回部に対する、クリップの挟持部の内面の全面が密着することを緩和でき、ロッド巻回部を透過する電熱ロッドの熱によるクリップの過熱を防止できる。
【００３９】
また、本願の請求項５に記載の発明は、少なくとも一部が断熱材に対して着脱可能なクリップを用い、頭髪を巻き付けた電熱ロッドの外周面と、クリップの挟持部の内面との間に断熱材を配位することにより、取り扱いが容易な、頭髪に対する電熱ロッドの取付構造を提供することができる。
【００４０】
また、本願の請求項６に記載の発明にあっては、電熱ロッドと被施術者の頭皮との間に間隔保持部を配位することにより、電熱ロッドを頭皮から間隔を持って配位し、電熱ロッドから発生する熱が頭皮へ過多に伝導されることを防止することができる。
【図面の簡単な説明】
【図１】（Ａ）は本願発明の実施の形態に係るパーマネント用断熱材の斜視図であり、（Ｂ）は同パーマネント用断熱材において、クリップ着脱部の形態を変更したものを示す要部の斜視図である。
【図２】本例におけるパーマネント用断熱材と電熱ロッドとクリップとを組みあわせた状態を示す斜視図である。
【図３】本例におけるクリップの斜視図である。
【図４】本例のパーマネント用断熱材を利用してパーマを施す状態を示す斜視図である。
【図５】従来のパーマネントの方法を示した斜視図である。
【符号の説明】
１        電熱ロッド
１１      外周面
２        パーマネント用断熱材
２１      ロッド巻回部
２２      クリップ着脱部
２３      間隔保持部
２４      スペーサ部
３        クリップ
３１      挟持部
３１ａ    挟持部の先端
３１ｂ    挟持部の内面
Ｈ        頭髪
Ｐ        被施術者
Ｓ        頭皮
【図１】
2004358118.tif 000003
【図２】
2004358118.tif 000004
【図３】
2004358118.tif 000005
【図４】
2004358118.tif 000006
【図５】
2004358118.tif 000007